(57)【要約】【課題】  データの記録と試し書きの処理動作を交互に繰り返すことによって、試し書きに要する時間を改めて確保する必要がない光ディスク記録装置を提供することを目的とする。【解決手段】  光ディスクの試し書き領域へ試し書きが行われている間にメモリ１０８にデータ領域へ記録するデータを記憶させ、データ領域へのデータの記録と試し書き領域への試し書きとを交互に行うことを特徴とする。【選択図】  図１
2007035107.tif 000002
【特許請求の範囲】
【請求項１】
多層構造の記録面を有する光ディスクの各層に情報を記録するレーザ光源と、該レーザ光源を所定の位置に移動させるピックアップを備えた光ディスク記録装置において、
前記光ディスクのデータ領域へ記録するデータを記憶する第１の記憶手段と、
前記データ領域へのデータの記録を中断し、記録の中断位置を記憶する第２の記憶手段と、
前記データ領域へのデータの記録を中断し、試し書き領域へレーザ光源を移動させ、試し書きを行う試し書き手段と、
前記試し書き手段による試し書きを中断した時の中断位置を記憶する第３の記憶手段と、
前記ピックアップの現在位置を測定する測定手段とを備え、
前記試し書き手段によって前記試し書き領域へ試し書きが行われている間に前記第１の記憶手段にデータ領域へ記録するデータを記憶させ、
前記データ領域へのデータの記録と試し書き領域への試し書きとを交互に行うことを特徴とする光ディスク記録装置。
【請求項２】
前記測定手段によって得られた前記ピックアップの現在位置から前記試し書き領域までを前記ピックアップが往復に要する時間と、
前記第１の記憶手段へデータを記憶させる時間とを比較する比較手段を有し、
前記比較手段によって、前記ピックアップが往復に要する時間の方が、第１の気力手段へデータを記憶させることができる最長時間よりも短い場合には、現在記録を行っている層又は他の層の試し書き領域で試し書きを行うことを特徴とする請求項１記載の光ディスク記録装置。
【請求項３】
前記試し書き手段は、試し書きを行う際に前記ピックアップが前記光ディスクの最内周部もしくは最外周部に近づくにつれて、一度の試し書きに要する時間の割合を増加させることを特徴とする請求項１または２記載の光ディスク記録装置。
【請求項４】
前記試し書き手段は、前記光ディスク上の前記ピックアップの位置と割り当て可能な試し書きに要する時間とを１組とした複数の集計データを有し、該集計データの中から前記ピックアップの位置と前記割り当て可能な試し書きに要する時間とを選択できる選択手段を有することを特徴とする請求項１から３のいずれか１項に記載の光ディスク記録装置。
【請求項５】
前記試し書き手段は、前記第１の記憶手段へのデータの記録速度と前記光ディスクの回転速度の組み合わせに応じて試し書きの位置を変更可能であることを特徴とする請求項４に記載の光ディスク記録装置。
【請求項６】
前記データ領域へのデータの記録に要する時間を測定する時間測定手段を備え、
該時間測定手段によって得られた記録経過時間から記録位置を算出し、前記ピックアップの現在位置を特定することを特徴とする請求項１から５のいずれか１項に記載の光ディスク記録装置。
【発明の詳細な説明】
【技術分野】
【０００１】
本発明は、光ディスク記録装置に関し、特に、記録時の最適記録パワーを正確に設定して、記録品質を向上させる光ディスク記録装置に関する。
【背景技術】
【０００２】
現在開発されている一般的なＤＶＤレコーダは、入力されるデータの転送速度よりも光ディスクに対する記録速度が上回っているため、メモリに一時的に蓄積しておいた入力データを記録した後、記録した分のデータをメモリからクリアし、再びメモリ内にデータが蓄積されるまで記録を中断して待つことになる。
【０００３】
これは、ＤＶＤレコーダに限らず、例えば、ＰＣでＴＶ録画する際に、その映像データをハードディスクなどに保存することなく光ディスクに直接的に記録する場合なども同様である。また、２台の光ディスク記録装置を使用し、１台を読み取り用、もう１台を記録用に用い、読み取ったデータをハードディスクに保存することなくコピーする場合でも、読み取り速度と記録速度が異なれば同様のことが起こりうる。
【０００４】
このように、データの記録速度がデータの入力速度より速い場合には、メモリにデータが蓄積されるまでデータの入力を中断することになり、データの入力中は、データの記録を中断することとなる。従って、光ディスクにデータを入力する時間とメモリにデータを蓄積する時間とが交互に存在することとなる。
【０００５】
ところで、記録の際の最適なレーザ出力値の決定手段としてＯＰＣ（Optimum Power Control）がある。これは、データ記録領域以外に試し書きを行う領域ＰＣＡ（Power Calibration Area）を設けて、レーザ出力を変化させながら試し書きを行い、その試し書きした箇所のデータを読み取ることで光ディスクに対する最適なレーザの出力値を決定する。
【０００６】
通常、２層式の光ディスクで層の異なる箇所に対する記録を行うには、それぞれの層におけるＰＣＡにおいて試し書きを行っている。この時に層をまたいで記録する必要がある場合、これから記録しようとする層に対して試し書きを行うのは、一般に現在の層に対する記録を完全に終え、次の層に対する記録を開始するまでの合間である。この合間は外部から入力されたデータをメモリに一時的に保持しておくことで、入力された全ての情報を失わずに済んでいる。
【０００７】
しかし、ＯＰＣに失敗したことでＯＰＣに多大な時間を要した場合には、メモリにデータが収まりきらず、最適なレーザ出力値を決定することができなくなる。ここで、例えばＤＶＤレコーダのように、受信データがストリーミングの様式である場合には、再び同じ内容のデータを得ることができないので、このような現象が起こってしまう場合には、最適であるという保証のないレーザの出力値で記録しなければなくなるため、記録品質が損なわれるという問題が生じる。
【０００８】
また、従来の光ディスク記録再生装置における最適記録パワーの決定方法として、特許文献１では、多層構造の記録面の各層に情報を記録するためのデータ領域と情報の記録時にレーザビームの発光パワーの最適記録パワー値を決定するために用いる試し書き領域とをそれぞれ異なる位置に設けた光ディスクに対して情報を記録するとき、情報を記録するデータ領域と同層の試し書き領域に記録パワーの試し書きを行って最適記録パワー値を求めている。
【特許文献１】特開２０００−３１１３４６号公報
【発明の開示】
【発明が解決しようとする課題】
【０００９】
ＤＶＤなどの光ディスクでは、記録層を２層以上設けることで記憶容量を拡大することができる。また、アクセスを片面から行い、光ヘッド（ピックアップ）の光ビームの焦点をそれぞれの層に合わせることで記録再生が可能になる。これによりディスクを裏返すことなく大容量の記録再生ができる。ＤＶＤでは、以前から再生専用タイプの２層ディスクが広く用いられているが、最近では、これと同等の記録容量を有するＤＶＤ＋Ｒ  ＤＬ（Double Layer）が実用化されている。ＤＶＤ＋Ｒ  ＤＬフォーマットでは、ＯＴＰ形式が用いられている。ＯＴＰの場合、Ｌａｙｅｒ０（レーザ照射面側の記録層）は、従来通り内周から外周にスパイラル方向へ向かっているが、Ｌａｙｅｒ１はスパイラル方向が外側から内側に向かっているため、Ｌａｙｅｒ１の記録及び再生は外周から内周へ向けて行われることになる。
【００１０】
内周部の試し書き領域ＰＣＡでＯＰＣ（Optimum Power Control）を行っても記録開始位置は外周からとなるためメディアに対する最適なレーザ出力値の内外差により記録品質が悪くなってしまうことがある。従って、光ディスク全体で高い記録品質を確保するために、内周部と外周部との両方においてＯＰＣが行われることもある。
【００１１】
従来は、ある層に対する記録を内周から外周に向けて行い、その層における全ての記録を行ってから外周部でＯＰＣを行い、その後に次の層に対する記録を始めている。しかしその方法では、途中で行うＯＰＣに失敗した場合に、メモリが一杯になってしまい、リトライする時間がなく、そのＯＰＣでは最適なレーザ出力値を決定できないため、それまでのＯＰＣにおけるレーザ出力値を用いて記録を行っていたが、外周部における記録品質の高さを確保できないという問題があった。
【００１２】
本発明は係る問題に鑑みてなされたものであり、データの記録と試し書きの処理動作を交互に繰り返すことによって、試し書きに要する時間を改めて確保する必要がない光ディスク記録装置を提供することを目的とする。
【課題を解決するための手段】
【００１３】
上記目的を達成するために、請求項１記載の光ディスク記録装置は、多層構造の記録面を有する光ディスクの各層に情報を記録するレーザ光源と、該レーザ光源を所定の位置に移動させるピックアップを備えた光ディスク記録装置において、光ディスクのデータ領域へ記録するデータを記憶する第１の記憶手段と、データ領域へのデータの記録を中断し、記録の中断位置を記憶する第２の記憶手段と、データ領域へのデータの記録を中断し、試し書き領域へレーザ光源を移動させ、試し書きを行う試し書き手段と、試し書き手段による試し書きを中断した時の中断位置を記憶する第３の記憶手段と、ピックアップの現在位置を測定する測定手段とを備え、試し書き手段によって試し書き領域へ試し書きが行われている間に第１の記憶手段にデータ領域へ記録するデータを記憶させ、データ領域へのデータの記録と試し書き領域への試し書きとを交互に行うことを特徴とする。
【００１４】
上記構成から、ピックアップが記録をしていない待ち時間を試し書きに費やすことで、試し書きに要する時間を改めて確保する必要がなく、試し書きに失敗したとしても、記録と同時に試し書きを行うことで、従来と同じタイミングで試し書きをリトライすることが可能であり、出力の最適値を得られないという可能性を大きく減少させることができる。
【００１５】
請求項２記載の発明は、請求項１記載の光ディスク記録装置であって、測定手段によって得られたピックアップの現在位置から試し書き領域までをピックアップが往復に要する時間と、第１の記憶手段へデータを記憶させる時間とを比較する比較手段を有し、比較手段によって、ピックアップが往復に要する時間の方が、第１の記録手段へデータを記憶させることができる最長時間よりも短い場合には、現在記録を行っている層又は他の層の試し書き領域で試し書きを行うことを特徴とする。
【００１６】
上記構成から、ピックアップが記録中断位置と試し書き領域を往復する間にメモリの許容量を超えるといったデータの損失を防ぐことができる。
【００１７】
請求項３記載の発明は、請求項１または２記載の光ディスク記録装置であって、試し書き手段は、試し書きを行う際にピックアップが光ディスクの最内周部もしくは最外周部に近づくにつれて、一度の試し書きに要する時間の割合を増加させることを特徴とする。
【００１８】
上記構成から、ピックアップの記録位置によって異なる待ち時間から試し書き領域への試し書きに要する時間を変更させることができる。
【００１９】
請求項４記載の発明は、請求項１から３のいずれか１項に記載の光ディスク記録装置であって、試し書き手段は、光ディスク上のピックアップの位置と割り当て可能な試し書きに要する時間とを１組とした複数の集計データを有し、該集計データの中からピックアップの位置と割り当て可能な試し書きに要する時間とを選択できる選択手段を有することを特徴とする。
【００２０】
上記構成から、集計されたデータから、レーザの出力値を実践的に最適な値として決定することが可能となる。
【００２１】
請求項５記載の発明は、請求項４記載の光ディスク記録装置であって、試し書き手段は、第１の記憶手段へのデータの記録速度と光ディスクの回転速度の組み合わせに応じて試し書きの位置を変更可能であることを特徴とする。
【００２２】
上記構成から、試し書きに行こうする記録位置を調整することで、現在の層への記録中に次の層に対するレーザ出力の最適値を決定した後、現在の層から次の層への記録をすぐに行うことができる。
【００２３】
請求項６記載の発明は、請求項１から５のいずれか１項に記載の光ディスク記録装置であって、データ領域へのデータの記録に要する時間を測定する時間測定手段を備え、該時間測定手段によって得られた記録経過時間から記録位置を算出し、ピックアップの現在位置を特定することを特徴とする。
【００２４】
上記構成から、ピックアップの記録位置によって異なる待ち時間から試し書き領域への試し書きに要する時間を変更させることができる。
【発明の効果】
【００２５】
本発明によれば、ピックアップが記録していない時間に試し書きを行うことで、試し書きに要する時間を改めて確保する必要性がなくなり、試し書きが失敗したとしても従来通りに記録の直前に再び試し書きを行うことができる。
【発明を実施するための最良の形態】
【００２６】
次に、図面を参照して、本実施形態について説明する。
図１は、光ディスク記録装置の構成を示した図であり、本実施形態では、特にＤＶＤ＋Ｒを例に説明する。
光ディスク記録装置１００は、回転モータ１０１、ディスク１０２、光学系１０３、レーザ光源１０４、位置センサ１０５、パワー制御部１０６、試し書き部１０７、メモリ１０８、記録パワー設定部１０９、選択部１１０、コントローラ１１１、タイマ１１２から構成されている。
【００２７】
光ディスク１０２は、回転モータ１０１によって回転し、光学系１０３は、図示しないサーボ手段によってフォーカシングサーボ、トラッキングサーボ、チルト（傾き）制御を実現し、ディスク１０２の記録膜上にレーザ光源１０４により光ビームを集光させ、記録マークを形成する。また、光ディスク１０２の半径方向に移動可能で、光ディスク１０２に予め設けられた試し書き領域ＰＣＡやユーザデータ領域にアクセス可能である。
【００２８】
光学系１０３には、レーザ光源１０４が搭載されている。これは、一般的に半導体レーザ（ＬＤ：Laser Diode）が用いられる。このレーザ光源１０４はパワー制御部１０６によって所定の記録パワー状態に入力パルス信号で変調される。レーザが記録パワー状態とスペースパワー状態の間で変調されることで、記録膜上には記録マークとそうでないところができる。これを再生すると反射率の差が生じて、情報信号として再生することができる。光学系１０３にはピックアップが使われる。
【００２９】
ＤＶＤ＋Ｒなどの光ディスクでは、光ディスク面内の位置（アドレス）情報などがデータ記録前にもわかるように予め記録溝（グルーブ）に蛇行（ウォブル）信号が記録してある。ウォブル信号の変調方式として、例えば、ＤＶＤ＋Ｒ／ＲＷでは位相変調方式、ＣＤ−Ｒ／ＲＷでは周波数変調方式などが用いられている。ウォブル信号から図示しないアドレス検出手段でＡＤＩＰ（Address In Pre-groove）と呼ばれるアドレス情報を復調する。これにより光ディスク面内の任意の位置にピックアップを移動して記録、再生が可能となる。なお、ＤＶＤの物理アドレスを一般にＰＳＮ（Physical Sector Number）といい、以下アドレスのことをＰＳＮと呼ぶ。
【００３０】
ウォブル信号のもう１つの重要な役割として図示しないクロック生成手段がある。ウォブル信号を２値化し、ＰＬＬ（Phase Lock Loop）回路によりディスク位置に同期したクロックを生成、コントローラ１１１や図示しないエンコード回路に供給される。
【００３１】
記録マークは、ＤＶＤ＋Ｒのような非可逆な有機色素媒体では、ピット（穴）であり、それ以外のところをスペースと呼ぶ。
【００３２】
記録パワー設定部１０９は、コントローラ１１１から入力される記録パワー設定部１０９に応じて、図示しないＬＤドライバを駆動させ、パワー制御部１０６によりレーザを該パワー制御部１０６が制御するパワーで光らせる。また、ＯＰＣ時には、試し書きモードになり、順次記録パワーを可変させる。記録データは、エンコーダ回路で所定のフォーマットで符号化や変調処理がなされ、シリアル形式で記録データ列として出力される。パルス幅の設定は、固定でもよいが、線速度やディスク種別に応じてコントローラ１１１によってそれぞれに設定するのが一般的である。線速度やディスク種別による記録マーク長ごとの感度の違いを吸収できるためである。
【００３３】
ディスクの種別は、光学系１０３でディスクの特定場所を再生したときの再生信号から、図示しないメディアタイプで検出する。この種別は、例えばディスクメーカを何らかの方法で特定することができれば、メーカ別にしてもよいし、同一メーカでもさらに細かく分類できればなおよい。他の種別同定手法としては、例えばディスクに予め埋め込んである各種パラメータを用いることもできる。例えば、推奨パワーやパルス幅などを埋め込んである場合は、それを用いてもよい。
【００３４】
こうすることで、同一メーカの様々な記録膜に応じて、最適なパルス幅設定（Write Strategy）が可能になる。一般に様々なディスクメーカに対応するため光ディスク記録装置１００は各ディスク毎に最適化されたWrite Strategyのテーブルを不揮発性メモリに保存していることが多い。
【００３５】
次に、試し書きについて説明する。
試し書きは、ある線速度で記録パワーを順次変化させて記録し、その後、記録した箇所を再生して記録状態を評価し、最適な記録状態になる記録パワーを決定する操作で、ＯＰＣ（Optimum Power Control）と呼ばれる。
【００３６】
図１に示した光ディスク記録装置１００では、コントローラ１１１からの指令により記録パワー設定部１０９で順次パワーを変化させて記録することができる。試し書きを行う領域は、一般には、Ｌｅａｄ−ＩＮエリアよりも内周のＰＣＡ領域（ＰＣＡ：Power Calibration Area）が用いられることが多い。ＤＶＤ＋Ｒの場合は、内周部にInner Disc Test Zoneと呼ばれるＰＣＡ領域があり、外周部にもOuter Test Zoneと呼ばれるＰＣＡ領域があるが内周側を用いるのが一般的である。
【００３７】
ＰＣＡに記録後、光学系１０３で同じ場所を再生して再生信号ＲＦを得る。ＲＦ信号の適当なパラメータを評価することで、最適な記録状態が評価できる。例えば、β値検出手段では、βとなるパラメータを測定する。
【００３８】
β値検出手段は、ＲＦ信号の低域成分を除去（ＡＣ結合）して、上側包絡線レベルａと下側包絡線レベルｂを検出する。図２に示すように、記録膜の特性として、記録マーク部で反射率が下がると仮定し、ＲＦ信号は低反射部で低レベルになるとする。適正な記録状態のときＡＣ結合されたＲＦ信号は、図２（ａ）のように上下対称で、ａ＝ｂとなる。
【００３９】
また、記録パワーが過大の時は図２（ｂ）のように記録マークが長くなるため、ＡＣ結合すると上側レベルが高くなり、ａ＞ｂとなる。また、記録パワーが不足のとき図（ｃ）のように記録マークが短くなるから、ＡＣ結合すると下側レベルが高くなりａ＜ｂになる。
【００４０】
ａとｂの差をＲＦ振幅ａ＋ｂで正規化した量がβであり、
β＝（ａ−ｂ）／（ａ＋ｂ）となる。
βが大きいとパワー過大、小さいとパワー不足となる。最適なパワーはβがある値（例えば４％）になったときで、このβをβtargetと呼ぶ。ＯＰＣは順次パワーを振って記録し、β値を評価することでβtargetとなるときのパワーを求める。
【００４１】
図３では、記録パワーを１０段階に変化させて記録したグラフが示されている。記録パワーを振る範囲をＯＰＣレンジ、このときの基準となる中心パワーをＰｉｎｄと呼ぶ。ＯＰＣレンジはＰｉｎｄに対して例えば＋３０％、−３０％の範囲で１０段階で振る、あるいはＰｉｎｄに対して＋５ｍＷ、−４ｍＷの範囲で１ｍＷずつ振る等の方法がある。
【００４２】
得られた１０点のβ値からβカーブ曲線（２次）近似し、βtargetとなるパワーＰｏｐｃを得る。温度変化等といったＯＰＣを実行する時点の条件によりＰｏｐｔは多少変動することもあるため、通常条件では、ＰｏｐｃはなるべくＰｉｎｄ付近で求める方が望ましい。また、Ｐｏｐｃはディスク毎に異なることが多いため、それぞれのディスク種別に対するWrite Strategyと共に設定することも多い。
【００４３】
図４に記録層を２層持つＤＶＤ＋Ｒメディアの説明を示す。なお、レーザ照射方向（図１の光学系１０３の下方向）から層方向に最初の層をＬａｙｅｒ０（Ｌ０）、２番目の層をＬａｙｅｒ１（Ｌ１）と呼ぶ。
【００４４】
まず、再生専用ディスクであるＤＶＤ−ＲＯＭの２層ディスクでは、図４に示すＰＴＰ（Parallel Track Path）と図５に示すＯＴＰ（Opposite Track Path）の２種類の記録形式が用いられている。ＰＴＰでは、Ｌａｙｅｒ０，Ｌａｙｅｒ１ともにスパイラル方向が内から外側に向かう（トラッキングしたまま放っておくと内から外にピックアップが移動する）。ＯＴＰでは、Ｌａｙｅｒ０はＰＴＰと同じであるが、Ｌａｙｅｒ１は、スパイラル方向が外側から内側に向かう（トラッキングしたまま放っておくと外から内にピックアップが移動する）。
【００４５】
このうち記録用のＤＶＤ＋Ｒの２層（以下、ＤＬ：Double Layer）ではＯＴＰ方式が用いられている。ＯＴＰでは、Ｌａｙｅｒ０の内周部にＬｅａｄ−ＩＮ、Ｌａｙｅｒ１の内周部にＬｅａｄ−Ｏｕｔがあり、外周部には、それぞれMiddle Zoneと呼ばれる領域がある。Data areaの端でデータがなくなると境界部のアクセス時などに問題が生じる可能性があるため、緩衝領域であるMiddle Zoneを設けている。ＯＰＣを行うＰＣＡ領域はＬｅａｄ−ＩＮより内周部のInner Drive Areaの中に割り当てられている。
【００４６】
また、ＯＴＰ方式の場合、図５に示すように、Ｌａｙｅｒ０の記録は、従来からある単層のＤＶＤ＋Ｒなどと同様に内周から外周に記録していくが、Ｌａｙｅｒ１では、外周から記録を開始し、だんだんと内周に記録していく。従って、Ｌａｙｅｒ０内周部でＯＰＣを実行してからＬａｙｅｒ１最外周で記録を開始したときには最適記録パワーと乖離している場合がありうる。一般に外周部で必要なパワーは大きくなるためパワーを加算する方向であることが多い。
【００４７】
特に２層メディアでは、単層メディアに比べて最内周から最外周まで層全面の膜の特性を均一にすることは非常に困難である。これは、特に、Ｌａｙｅｒ１で顕著であり、一般に最外周の記録パワーは、内周部より高いパワーを必要とされる。この要因としては、メディアの複屈折によるレーザ発光の変化、光ピックアップの非点収差の影響、メディアの反り（チルト）などがあると考えられる。従って、ドライブやメディアによって最適な記録パワーの内外差はばらつきが大きくなってしまうという問題がある。
【００４８】
そこで、外周のＰＣＡにおいてＯＰＣを行うことで、外周部に対する最適パワーを補正する方法がある。
処理の手順としては、図６のフローチャートに示すように、Ｌａｙｅｒ０における内周部ＰＣＡでのＯＰＣにより、Ｌａｙｅｒ０での最適記録パワーを得る（ステップＳ１００）。そして、Ｌａｙｅｒ０の内周部から外周部に向かって記録を行う（ステップＳ１０１）。Ｌａｙｅｒ０の記録を最外周部まで終えた後、光ディスク記録装置１００はメモリ１０８にデータを蓄積し始める。その間に外周部ＰＣＡにおいてＬａｙｅｒ１のＯＰＣを行い（ステップＳ１０２）、その後、外周から内周に向かってＬａｙｅｒ１への記録を始める（ステップＳ１０３）。
【００４９】
しかし、上記の方法では、試し書きが失敗したり、試し書きをしてもレーザの最適出力を取得できないといったことが発生したりといったレーザの最適な出力を決められないという問題が発生する。それは、光ディスク記録装置におけるデータを蓄えておくメモリには容量の限界があり、容量を超えるとデータを失ってしまうので、それを防ぐためにＬａｙｅｒ１への記録を再開しなければならない。
【００５０】
ここで、図７に示すように、通常、ＤＶＤレコーダのような場合、外部から入力されるデータの転送速度に対し、光ディスクに対する記録の速度は速いため、メモリにデータが蓄積されるまではピックアップは記録を行わない。ある程度だけメモリにデータが蓄積されると再び記録を行い、新たなデータが蓄積されるまで記録を中断する。従って、記録中のピックアップには記録する時間とアイドルタイムとが交互に発生する。
【００５１】
本実施形態では、光ディスク記録装置におけるピックアップが最内周もしくは最外周に近い位置にある時の、記録を行っていないアイドルタイムを試し書きに使用し、実質上のバックグラウンドによる試し書き処理を行う。ある位置における記録を行っている合間に、最適なレーザ出力値を求めたい箇所における任意の位置における試し書き処理を一度もしくは幾度かにわたって少しずつ行うというものである。これにより、ある範囲における記録から、別のある範囲における記録が、その間にＯＰＣの時間を特に必要とすることなく行うことが可能となる。
【００５２】
図８に示すように、まず、Ｌａｙｅｒ０における内周部ＰＣＡでのＯＰＣによりＬａｙｅｒ０での最適記録パワーを得る（ステップＳ２００）。次に、Ｌａｙｅｒ０の内周部から外周部に向かって記録を行う（ステップＳ２０１）。ステップＳ２０１において、ピックアップが最内周もしくは最外周に近い位置にある時に記録を行っていないアイドルタイムを利用して、Ｌａｙｅｒ１におけるＯＰＣを実行し（ステップＳ２０２）、次にＬａｙｅｒ１の記録を行う（ステップＳ２０３）。
【００５３】
前述したように、試し書きを分割してバックグラウンドで行う方法以外にも、最初の記録を始める前に全ての箇所の試し書きを行うことも可能である。現行の光ディスクにはＰＣＡが備えられており、その部分を試し書き領域としている。ＰＣＡは同じスペースを再利用することができないため、何度か行うことは可能であるが、使用回数の上限はある。従って、不必要に試し書きのみを行い、データ領域に記録をしないということが続くことは、ＰＣＡの使用回数の上限の都合上、好ましくない。よって、データがその層への記録だけに留まらず、別の層へのデータ領域に記録を行う必要が出ることがわかってからでも層への試し書きを行うことができるため、事前にＯＰＣを行う必要がなくなり、ＰＣＡの無駄な消費を防ぐことができる。
【００５４】
次に、図９に、ピックアップの動く様子を説明した図を示す。
ピックアップが記録位置とＰＣＡとの往復にかかる時間とＯＰＣ処理の時間を加算した時間が、外部からデータが入力されたデータをメモリに蓄え続けることができる時間を超えることがあってはならない。
【００５５】
まず、図９（ａ）に示すように、レーザ光源１０４が光ディスク１０２へ記録を行う。図９（ｂ）では、光ディスク１０２への記録を中断し、ＰＣＡ領域へ移動し、図９（ｃ）に示すように、ＰＣＡ領域で試し書きを行う。ＰＣＡ領域での試し書きが終了すると図９（ｄ）のようにレーザ光源１０４が記録中断位置へ移動する。
【００５６】
従って、
Ｔｒｕｎ＋Ｔｏｐｃ≦Ｔｍａｘ・・・（１）
Ｔｒｕｎ：現在記録位置とＰＣＡとの往復に要する時間
Ｔｏｐｃ：ＯＰＣに費やす時間
Ｔｍａｘ：データをメモリに蓄え続けることができる時間
とした時、上記式（１）を満たすことで、ピックアップを記録中断位置からＰＣＡまで移動させている間に記録を再開しなければならない状態になって、試し書きの処理は全く行わないまま、再び記録中断位置まで戻らなければならないというように、無意味にピックアップを往復させる必要がなくなる。
【００５７】
Ｔｒｕｎ＋Ｔｏｐｃ＝Ｔｍａｘ・・・（２）
の場合では、ＯＰＣをするのは最内周部もしくは最外周部であるため、その部分との往復を行うには、光ディスクのデータ部のうち、最内周部や最外周部に近い箇所の方が、ピックアップの移動量は小さくなる。よって、ピックアップの往復に要する時間も減少されることになる。
【００５８】
上記式（２）から、
Ｔｏｐｃ＝Ｔｍａｘ−Ｔｒｕｎ・・・（３）
では、Ｔｍａｘは定数であることから、Ｔｒｕｎが小さくなることによって、Ｔｏｐｃの最大値は上がることになる。従って、外周から内周に向かって記録している場合には、内周部、内周から外周に向かって記録している場合には、外周部に近づくにつれ、ＯＰＣ処理をより長く行うことが可能となる。
【００５９】
また、図７に示すように、ディスクの所定の位置を超えたところから次第にＯＰＣに費やす時間を増加させることができる。
具体的には、下記式（４）、式（５）に示すように、ピックアップがＰＣＡとの往復に要する時間ＴｒｕｎはＲｐｃａに比例する。
外周から内周に向かって記録している場合
Ｒｎｏｗ−Ｒｐｉｎ・・・（４）
内周から外周に向かって記録している場合
Ｒｐｏｕｔ−Ｒｎｏｗ・・・（５）
Ｒｎｏｗ：現在位置の位置半径
Ｒｐｉｎ：内周ＰＣＡの位置半径
Ｒｐｏｕｔ：外周ＰＣＡの位置半径
Ｒｐｃａ：ＰＣＡまでの半径方向距離
【００６０】
ここで、Ｒｎｏｗ、Ｒｐｉｎ、Ｒｐｏｕｔを図８に示すと、
Ｔｒｕｎ＝α×Ｒｐｃａ・・・（６）
となる。ここで、αはピックアップの平均移動速度によって決まる値である。この時式（３）より、Ｔｍａｘ，Ｒｐｉｎ，Ｒｐｏｕｔが定数であることを考えると、
Ｔｏｐｃ＝Ｔｍａｘ−α×Ｒｐｃａ・・・（７）
となり、記録位置とＰＣＡとの距離に比例したものに関する時間を、ＯＰＣに費やすことが可能になる。
【００６１】
上述で現在の記録位置に比例した時間をＯＰＣに割り当て可能としたが、これはあくまでも理論的なことであり、ハードウェアを取り扱う場合は、理想通りに動作しないことが多い。従って、ディスクにおけるそれぞれの位置からＯＰＣを行う際の割り当て可能な時間を、実際に動作させることにより、予め調査することでメモリ領域に下記に示す表１を備えておくことで、実際のデータに基づいた信頼性のある動作を行うことができる。
【００６２】
【表１】
2007035107.tif 000003
【００６３】
現在の光ディスク記録装置では、記録速度の異なる光ディスクに対しても記録可能であり、それぞれに対して記録することが考えられる。記録速度が速いならば、前述したようにメモリから速く領域を解放することが可能であるため、式（７）におけるＴｍａｘ値が上がるので、同式におけるＴｏｐｃもその分だけ増加することとなる。従って、記録速度に対してＯＰＣに割り当てることができる時間は変動する。
【００６４】
また、メモリに蓄えられるデータの増加の速さは、外部からの入力データの転送速度による、転送速度が速い場合、式（７）におけるＴｍａｘが小さくなるため、同式におけるＴｏｐｃも小さくなる。逆に、転送速度が遅い場合、同式におけるＴｍａｘが大きくなるので、同式におけるＴｏｐｃを大きくとることが可能となる。従って、外部からのデータ転送速度と記録速度に応じて、所定の位置を内側もしくは外側に変更することが必要となる。
【００６５】
また、前述のように、現在の記録位置からＯＰＣに割り当てる時間を定めるのも１つ以上の場合がある。しかし、記録前にディスクの判別を行った時点で記録速度を決定するため、例えば、ディスクの最内周から最外周全体に記録に要する時間を算出できることになる。例えば、８倍の記録速度で最内周から最外周に向けて記録を開始する場合に光ディスクの全面の記録に１０分かかるとすると、記録を開始してから５分後にディスクのどの部分への記録を行っているかは決定可能である。従って、記録を開始してからの時間をタイマ１１２により測定し、時間経過に基づいた現在位置を予測することで、時間の経過と共にＯＰＣに費やす時間を増加させることができる。
【図面の簡単な説明】
【００６６】
【図１】本実施形態における光ディスク記録装置の構成を示したブロック図である。
【図２】上側包絡線と下側包絡線とを示した図である。
【図３】記録パワーとＰＳＮの関係を示したグラフである。
【図４】ＤＶＤ−ＲＯＭの２層ディスクの記録形式であるＰＴＰを示した図である。
【図５】ＤＶＤ−ＲＯＭの２層ディスクの記録形式であるＯＴＰを示した図である。
【図６】外周のＰＣＡにおいてＯＰＣを行う処理動作を示したフローチャートである。
【図７】データ転送速度よりも光ディスクへの記録速度が速い場合における光ディスクへのデータの記録の処理動作を示したフローチャートである。
【図８】本実施形態におけるピックアップが最内周もしくは最外周に近い位置にある時の試し書きを行う処理動作を示したフローチャートである。
【図９】データの記録位置からＰＣＡ領域までのピックアップが動く様子を示した図である。
【図１０】ピックアップの現在位置の位置半径と記録中断中に一度に試し書き処理が可能な時間との関係示した図である。
【図１１】現在記録位置半径、内周ＰＣＡ半径、外周ＰＣＡ半径を示した図である。
【符号の説明】
【００６７】
１００    光ディスク記録装置
１０１    回転モータ
１０２    光ディスク
１０３    光学系
１０４    レーザ光源
１０５    位置センサ
１０６    パワー制御部
１０７    試し書き部
１０８    メモリ
１０９    記録パワー設定部
１１０    選択部
１１１    コントローラ
１１２    タイマ
【図１】
2007035107.tif 000004
【図２】
2007035107.tif 000005
【図３】
2007035107.tif 000006
【図４】
2007035107.tif 000007
【図５】
2007035107.tif 000008
【図６】
2007035107.tif 000009
【図７】
2007035107.tif 000010
【図８】
2007035107.tif 000011
【図９】
2007035107.tif 000012
【図１０】
2007035107.tif 000013
【図１１】
2007035107.tif 000014